(57)【要約】【課題】  従来の捕虫器は分解できず場所をとり、捕虫器を使用しない季節には邪魔になることがあった。また筐体が金属製であったため、全体が重くなり、コスト高の一因ともなっていた。【解決手段】  本発明の捕虫器は、虫を誘引する光を発する誘虫光源と、誘虫光源からの光に誘引された虫が落下或いは進入する開口部を備えた筐体とを備え、前記筐体は折り畳み状態又は展開状態から箱形に組立て可能な板材製としたものである。また、筐体内に落下又は進入した虫を回収する回収容器を出し入れ自在に筐体内に備え、筐体に回収容器出し入れ口を開閉可能に開口したものとすることもできる。【選択図】図１
2009005616.tif 000002
【特許請求の範囲】
【請求項１】
虫を誘引する光を発する誘虫光源と、誘虫光源からの光に誘引された虫が落下或いは進入する開口部を備えた筐体とを備え、前記筐体は折り畳み状態又は展開状態から箱形に組立て可能な板材製であることを特徴とする捕虫器。
【請求項２】
請求項１記載の捕虫器において、筐体内に落下又は進入した虫を回収する回収容器が筐体内に出し入れ自在に備えられ、筐体に回収容器出し入れ口が開閉可能に開口されたことを特徴とする捕虫器。
【発明の詳細な説明】
【技術分野】
【０００１】
本発明は、誘虫光源の光によってカメムシ、てんとう虫、蚊、蝿等の各種虫を誘引して捕獲する捕虫器に関するものである。
【背景技術】
【０００２】
従来、誘虫光源を用いて害虫を誘引して捕獲する捕虫器には各種のものがあり、例えば、蓋付きの回収容器に漏斗状の滑落部品を備え、滑落部品の上方に誘虫光源を備えたもの（特許文献１）や、それらを筐体内に備えたもの（特許文献２）等がある。これら捕虫器は、誘虫光源を発光させておくことにより、カメムシ、てんとう虫、蚊、蝿等の各種虫が、誘虫光源の光に誘引されて飛来し、滑落部品の漏斗状の斜面を滑落して回収容器内に回収されるようにしたものである。
【０００３】
【特許文献１】実用新案登録第３１２４６９０号公報。
【特許文献２】特開２００３−５２２９３号公報。
【発明の開示】
【発明が解決しようとする課題】
【０００４】
前記従来の捕虫器は、次のような課題があった。
（１）捕虫器が分解できないため、搬送や保管に場所をとり、搬送費が高くなったり、使用しない季節に邪魔になることがあった。
（２）従来の捕虫器の筐体は金属製であったため、捕虫器全体が重くなって使いづらく、また、コスト高の一因ともなっていた。
【課題を解決するための手段】
【０００５】
本発明は容易に箱形に組立て、解体、折り畳み可能であり、捕獲した虫を容易に廃棄処理することもでき、小型、軽量、安価な捕虫器を提供するものである。
【０００６】
本件出願の捕虫器は、請求項１記載のように、虫を誘引する光を発する誘虫光源と、誘虫光源からの光に誘引された虫が落下或いは進入する開口部を備えた筐体とを備え、前記筐体は折り畳み状態又は展開状態から箱形に組立て可能な板材製としたものである。また請求項２記載のように、前記捕虫器において、筐体内に落下又は進入した虫を回収する回収容器を筐体内に出し入れ自在に備え、筐体に回収容器出し入れ口を開閉可能に開口したものとすることもできる。
【発明の効果】
【０００７】
本発明の捕虫器は次のような効果がある。
（１）筐体が組立て、分解、折り畳み可能な板材製であるため、保管、運搬時等に場所をとらない。
（２）筐体内に落下又は進入した虫を回収する回収容器を筐体内に出し入れ自在に設けたので、回収容器だけを筐体内から取り出して、回収された虫を処分でき、捕獲した虫の処理が容易となる。
（３）筐体に回収容器出し入れ口が開閉可能に開口されたため、筐体を分解しなくとも回収容器を手軽に取り出すことができ、回収容器に回収した虫の廃棄処理や回収容器の交換を容易に行うことができる。
（４）筐体の板材にプラスチック、段ボール、厚紙等を用いれば、捕虫器を軽量で安価に提供することができる。また、回収容器として使い捨ての紙袋等を用いれば、回収容器を筐体から取り出して、回収した虫を回収容器ごと廃棄処分することができ、捕獲した虫の処理が容易になるだけでなく、手も汚れず処理しやすい。
【発明を実施するための最良の形態】
【０００８】
（実施形態１）
本発明の捕虫器の実施形態の一例を図１〜図６に基づいて説明する。この捕虫器は、誘虫光源の発する光によってカメムシ、てんとう虫、蚊、蝿等の各種虫を誘引して捕獲可能な捕虫器であって、図１、図２に示すように、上面開口の箱状の筐体１の内側上部に内箱２を備え、内箱２の下に虫を回収可能な回収容器３を備え、前記内箱２の内側面に誘虫光を発する誘虫光源４が取付けられ、内箱２の底面１９には誘虫光源４からの光に誘引された虫を回収容器３内に滑落させる漏斗状の滑落具５を備えるものである。
【０００９】
図１〜図３に示す筐体１は、上面開口の箱状であり、展開時には図４に示すような一枚の板材製であり、図４の展開状態から図５、図６のように折り曲げて箱形に組立てることができる。図４の展開状態の筐体１の折り曲げ手順の一例を説明する。まず同図中の一点鎖線部１ａ、１ｂ、１ｃを谷折りにして面テープ１２ａと面テープ１３ａとを貼り合せて図５に示す形状にする。次に一点鎖線部１ｄと１ｅを谷折りにして面テープ１２ｂと面テープ１３ｂとを貼り合せて図６に示すように筐体底面及び側面を形成する。次に一点鎖線部１ｆ、１ｇを谷折りにして面テープ１０と面テープ１１とを貼り合せて図３に示すように回収容器出し入れ口７を形成する。最後に一点鎖線部１ｈを谷折りにして面テープ１４と側壁６の面テープ１５を貼り合わせて前記回収容器出し入れ口７を閉塞して図１の箱形に組立てる。筐体１の組立てに使用される固定手段は、図４〜図６に示す面テープには限られず、両面テープ、セロファンテープ、ガムテープ、スナップボタン等、任意の固定手段を使用して行うこともできる。箱形に組立てた筐体１は、面テープを外せば再び図４の展開状態に戻すことも可能である。
【００１０】
前記回収容器出し入れ口７は、図３に示すように、箱形に形成した筐体１の側面に、面テープ１４、１５によって開閉調節可能とされた側壁６によって開閉可能に開口されている。面テープ１４、１５を離して図３のように側壁６を開けば、回収容器出し入れ口７が露出して、そこから回収容器３を筐体１内に出し入れすることができるようになる。前記側壁６の内側には、回収容器出し入れ口７の両端を閉塞するための閉塞片１７が取り付けられている。
【００１１】
図２、図４〜図６に示すように、筐体１の側壁内側には帯状の内箱支持具１８が二本貼り付けられ、内箱２の底面を支持して内箱２を筐体１の内側上部にセットできるようにしてある。また、図１に示すように筐体１の上面全面が開口部１６とされ、誘虫光源４で誘引した虫が筐体１内に落下或は進入できるようにしてある。
【００１２】
図１〜図６に示す筐体１の板材には、軽量で耐水性があり安価で加工も容易なプラスチックの段ボールが用いられている。筐体１の板材の材質は、プラスチックの段ボールには限られず、樹脂板、厚紙、紙製の段ボール、金属板等、任意のものを用いることができるが、軽量で耐水性があり安価で加工も容易な材質のものを用いることが望ましい。
【００１３】
図１〜図３に示す内箱２は、筐体１の内側上部にセットされる上方開口の箱状部材である。図２に示すように、この内箱２はその底面１９を、筐体１内側面に貼り付けられた内箱支持具１８で支持されて筐体１にセットされている。
【００１４】
この内箱２の内側面２０にはソケット２１が備えられ、誘虫光源４が取り付けられるようにしてある。内箱２の底面１９には、図２に示す滑落具取付孔２２が開口され、虫を回収容器３内に滑落させる漏斗状の滑落具５を備え付けられるようにしてある。また、内箱２の内側面２０及び底面１９には光反射材２３が貼り付けられており、誘虫光源４が発した光を反射させて開口部１６から出射させられるようにしてある。前記光反射材２３としては例えばアルミ箔を用いることができる。
【００１５】
この内箱２は、折り畳んだり展開したりして板状にすることもでき、折り畳んだり展開したりして板状にしたものを再度図１〜図３に示す箱形に形成できるようにすることもできる。
【００１６】
図１〜図３に示す誘虫光源４は、誘虫光を発する光源である。誘虫光源４としては、虫を誘引可能であれば任意の光源を用いることができるが、例えば、白熱灯などの電球タイプのもの（図参照）や、蛍光灯やＬＥＤ等を用いることもできる。この誘虫光源４は、前記内箱２に設けられたソケット２１に取り付けられている。誘虫光源４から発せられた光は、直接又は光反射材２３で反射されて開口部１６から外側に出射され、虫を筐体１内へ誘引できるようにしてある。誘引された虫は、誘虫光源４に接触して熱や衝撃によって死亡したり、気絶したりして落下し、滑落具５によって回収容器３内へ導入されたり、誘虫光源４に接触せずにそのまま回収容器３内へ飛び込んだりして、回収容器３内に回収されていく。誘虫光源４の発する光は、虫を誘引可能であれば任意の波長の光線のものとすることができるが、例えば、最大発光ピークが５２０ｎｍ〜７８０ｎｍの、黄色又は緑色の可視光線とすることができる。この誘虫光源４及びソケット２１は、内箱２を折り畳んだり展開したりして板状にする際に内箱２から取外せるようにしてある。
【００１７】
図１〜図３に示す滑落具５は、筐体１内に落下或は進入してきた虫を回収容器３へ滑落させるものであって、上部２４を大径開口部、下部２５を小径開口部とした漏斗状に形成されている。この滑落具５は、上部が内箱２の底面１９に開口された滑落具係止孔２２に係止され、下部２５が回収容器３内に差し込まれて備えられている。滑落具５は金属、樹脂等、任意の素材製のものとすることができる。
【００１８】
図１〜図３に示す回収容器３は、内箱２の下に備えられ、滑落具５から落下又は進入してくる虫を回収可能な容器である。同図に示す回収容器３には、使い捨て可能な紙パックが使用されている。この紙パックは、上方細りに形成されており、一度回収容器３内に収容された虫が外へ出にくいようにしてある。本実施形態では、前記滑落具５の下部２５が回収容器３内に差し込まれ、滑落具５から落下又は進入してくる虫を確実に回収容器３内に収容して回収できるようにしている。回収容器３の形状は、前記上方細りのものには限られず、上面に厚紙製の蓋を設けた箱形の紙パックとすることもできる。その場合、蓋に孔を開けて滑落具５の下部２５を差し込めるようにする。
【００１９】
回収容器３は、前記紙パックには限られずに、使い捨て可能なビニール袋等とすることもできる。また、回収容器３は使い捨て可能なものには限られず、再利用可能な樹脂製のカップ等、任意の容器を用いることもできる。また、回収容器３に蓋を備えて回収された虫を逃がさないようにすることもできる。
【００２０】
回収容器３内に水、殺虫液、粘着液等の各種液体等を入れておき、回収した虫を死亡させたり動けないようにしたりして回収容器３から脱出しないようにすることもできる。更に、回収容器３の内壁に両面粘着テープを貼り付けておき、回収容器３内へ回収した虫をその両面粘着テープで絡めとって回収容器３から脱出できないようにすることもできる。
【００２１】
図１〜図６に示す捕虫器を使用して虫を捕獲して処分するには次のようにする。
（１）誘虫光源４からの誘虫光に誘引された虫が開口部１６から筐体１内へ落下或は進入する。
（２）筐体１内に落下或は進入した虫は、誘虫光源４に接触して熱や衝撃によって死亡したり、気絶したりして落下して滑落具５によって回収容器３内へ収容されたり、誘虫光源４に接触せずにそのまま回収容器３内へ飛び込んだりして、回収容器３内に回収されていく。
（３）回収容器３内に虫がある程度溜まったら、側壁６を開けて回収容器出し入れ口７から回収容器３を取り出して、回収容器３内の虫を回収容器３ごと廃棄処分する。
（４）新しい回収容器３を筐体１内にセットし、側壁６を閉める。
上記（１）〜（４）の工程が繰り返されることで、継続して虫を捕獲することができる。
【００２２】
（実施形態２）
筐体１の開口部１６は、筐体１の上面を全面開口したものには限られず、誘虫光源４の光を筐体１外方へ出射でき、誘引した虫を筐体１内に導入できるものであれば、任意の位置、形状、大きさとすることができる。従って、例えば筐体１の上面や側面にスリット状の開口部１６を形成すること等もできる。
【００２３】
（実施形態３）
筐体１は、図４に示すように展開して板状にできるものには限られず、図７に示すように箱形の筐体１を折り畳んで板状にできるものとすることもできる。この場合も、筐体１を何度でも折り畳んだり組み立てたりすることができる。また、図７に示す構造の筐体１の場合、図４〜図６に示す構造の筐体１より面テープ等の接着具も少なく済むという利点もある。
【００２４】
（実施形態４）
筐体１は、二部品以上の部品を組合せて形成されるものとすることもできる。その場合も、筐体１を折り畳んで板状にしたり、折り畳んだ状態から箱状に組み立てたりできるようにすることもできる。
【００２５】
（実施形態５）
筐体１の回収容器出し入れ口７は、図３に示すような、筐体１の側面に開口され、筐体１の側壁６によって開閉可能な構造のものには限られず、回収容器３を筐体１から出し入れ可能な構造であれば任意の構造とすることができる。従って、例えば、筐体１の側面に回収容器出し入れ口７を開口し、その回収容器出し入れ口７を開閉自在な引き出しを設け、その引き出し内に回収容器３を備えるようにして、回収容器３を筐体１に出し入れするようにしたり、回収容器出し入れ口７を筐体１の底面に開口したりすること等もできる。引き出しを折り畳み又は展開可能とすることもできる。もっとも、回収容器出し入れ口７を省略することも可能である。
【００２６】
（実施形態６）
内箱２は、図１〜図３に示すような、底部に滑落具５をセット可能な形状のものには限られず、図８に示すように、内箱２そのものを、上部３０を大径開口部、下部３１を小径開口部とした角形漏斗状に形成することもできる。この場合、滑落具５は省略される。この内箱２も、折り畳んだり展開したりして板状にすることもできる。この場合も、板状にした内箱２を何度でも板状にしたり角形漏斗状に組み立てたりすることができる。
【００２７】
（実施形態７）
本発明の捕虫器においては、筐体１及び回収容器３に透視窓を形成したり、筐体１及び回収容器３の全体を透明又は半透明にする等して、回収容器３内に回収されて蓄積された虫の量等を外から目視できるようにすることもできる。
【００２８】
（実施形態８）
本発明の捕虫器においては、内箱２と滑落具５とを省略することもできる。その場合、誘虫光源４は筐体１の内側面にソケットを取り付けて筐体１内に備えるようにすることができる。また、筐体１の内側面及び底面には光反射材２３を貼り付け、誘虫光源４の光を反射させて開口部１６から出射させられるようにすることもできる。この場合は、回収容器３の開口部を大きく開いておくことが望ましい。
【００２９】
（実施形態９）
本発明の捕虫器においては回収容器を省略することもできる。この場合、虫が筐体１内に直接回収されて溜められることとなる。
【００３０】
（その他の実施形態）
前記各実施形態の捕虫器はあくまで一例にすぎないものであり、本発明の捕虫器は、誘虫光源の発する光によって虫を誘引して捕獲可能であれば筐体、誘虫光源、回収容器、内箱、回収容器出し入れ口等の各構成物品の形状、構造、サイズ、設置数、設置位置等は任意とすることができる。
【産業上の利用可能性】
【００３１】
本発明の捕虫器は、誘虫光源の光に誘引される虫を捕獲する他にも、所定の香りや色や食物等に誘引される虫を捕獲する捕虫器としても応用することができる。
【図面の簡単な説明】
【００３２】
【図１】本発明の捕虫器の実施形態の一例を示す斜視図。
【図２】図１に示す捕虫器の側面断面図。
【図３】図１に示す捕虫器の回収容器出し入れ口を開いた様子を示す斜視説明図。
【図４】図１に示す捕虫器の筐体を展開して板状にした様子を示す平面説明図。
【図５】図４に示す筐体を組み立てる途中の様子を示す斜視説明図。
【図６】図４に示す筐体を組み立てる途中の様子を示す斜視説明図。
【図７】本発明の捕虫器の筐体の他の例を示す斜視説明図。
【図８】本発明の捕虫器の内箱の他の例を示す斜視図。
【符号の説明】
【００３３】
１  筐体
２  内箱
３  回収容器
４  誘虫光源
５  滑落具
６  側壁
７  回収容器出し入れ口
１６  開口部
【図１】
2009005616.tif 000003
【図２】
2009005616.tif 000004
【図３】
2009005616.tif 000005
【図４】
2009005616.tif 000006
【図５】
2009005616.tif 000007
【図６】
2009005616.tif 000008
【図７】
2009005616.tif 000009
【図８】
2009005616.tif 000010